(57)【要約】      （修正有）【課題】対物レンズが搭載されているレンズホルダーの傾きを補正するために適した支持装置を提供する。【解決手段】対物レンズ１が搭載されているとともに一端が印刷配線基板用固定部９Ａ、９Ｂに形成されている連通孔Ｐを通して印刷配線基板８に設けられているパターンに半田Ｓにて固定されている少なくとも４本の支持ワイヤー１１、１３によって対物レンズ１の光軸方向及び光軸方向に直交する方向である光ディスクの径方向への変位を可能に支持されたレンズホルダー２を備え、前記支持ワイヤー１１、１３の前記連通孔Ｐへの挿入部を接着剤Ｋにて固定することによって支持ワイヤーによるレンズホルダー２の支持バランスを調整する。【選択図】図１
2010113781.tif 000002
【特許請求の範囲】
【請求項１】
サポート部材に設けられている印刷配線基板用固定部に固定されている印刷配線基板と、対物レンズが搭載されているとともに一端が前記印刷配線基板用固定部に形成されている連通孔を通して前記印刷配線基板に設けられているパターンに半田にて固定されている少なくとも４本の支持ワイヤーによって対物レンズの光軸方向及び光軸方向に直交する方向である光ディスクの径方向への変位を可能に支持されたレンズホルダーを備えた光ピックアップ装置であり、前記支持ワイヤーの前記連通孔への挿入部を接着剤にて固定することによって支持ワイヤーによるレンズホルダーの支持バランスを調整するようにしたことを特徴とする光ピックアップ装置のレンズホルダー支持装置。
【請求項２】
接着剤の量によって支持バランスを調整するようにしたことを特徴とする請求項１に記載のレンズホルダー支持装置。
【請求項３】
支持ワイヤーが挿通されるとともに制振動作を行うダンプ材が装填される制振支持部をサポート部材に形成したことを特徴とする請求項１に記載のレンズホルダー支持装置。
【請求項４】
制振支持部をレンズホルダーと印刷配線基板用固定部との間に配置したことを特徴とする請求項３に記載のレンズホルダー支持装置。
【発明の詳細な説明】
【技術分野】
【０００１】
本発明は、光ディスクに記録されている信号の読み出し動作を行う光ピックアップ装置に関し、特に対物レンズが搭載されているレンズホルダーの支持装置に係る。
【背景技術】
【０００２】
光ピックアップ装置から照射されるレーザー光を光ディスクに設けられている信号記録層に照射することによって信号の読み出し動作を行うことが出来る光ディスク装置が普及している。
【０００３】
光ディスク装置としては、ＣＤ規格やＤＶＤ規格と呼ばれる光ディスクを使用するものが一般的であるが、最近ではＢｌｕ−ｒａｙ規格と呼ばれる光ディスクを使用するものが普及している。斯かるブルーレイ規格の光ディスクは、ＣＤ規格やＤＶＤ規格の光ディスクと比較して信号の記録密度が高いので、光ピックアップ装置としての読み取り特性等の向上が要求されている。
【０００４】
光ピックアップ装置では、周知のようにレーザーダイオード等から放射されるレーザー光を光ディスクに設けられている信号記録層に集光させる対物レンズを備えており、斯かる対物レンズは光ディスクの信号面に対して直角方向、即ち対物レンズの光軸方向及び光ディスクの径方向、即ち光軸方向に直交する方向への変位を行うことが出来るように構成されている。
【０００５】
前述した対物レンズの光軸方向、一般的にはフォーカス方向と呼ばれる方向への変位動作は、フォーカシング制御動作と呼ばれる駆動制御動作によって行われ、光軸方向に直交する方向、一般的にはトラッキング方向と呼ばれる方向への変位動作は、トラッキング制御動作と呼ばれる駆動制御動作によって行われる。
【０００６】
前述した対物レンズのフォーカス方向及びトラッキング方向への変位動作を行うために複数、一般的には４本の支持ワイヤーによって支持されたレンズホルダーと呼ばれる部材に対物レンズは搭載されている。
【０００７】
斯かるレンズホルダー支持装置の一般的な構成について、図３に示す一部断面平面図、図４に示す側面図及び図５に示す正面図を参照にして説明する。図において、１は対物レンズであり、レンズホルダー２の上面中央部に固定搭載されている。前記レンズホルダー２に搭載されている対物レンズ１の下方(図４において)には光ピックアップ装置を構成する固定基板に組み込まれているレーザーダイオードから放射されるレーザー光を該対物レンズ１に導く光学部品が周知のように配置されている。
【０００８】
また、前記レンズホルダー２の側面等には、該レンズホルダー２をフォーカス方向へ変位させる駆動力を生成するフォーカシングコイル(図示せず)及び該レンズホルダー２をトラッキング方向へ変位させる駆動力を生成するトラッキングコイル(図示せず)が周知のように固装されている。
【０００９】
３は金属製のフレームであり、前記レンズホルダー２を挟んで配置される一対のマグネット４、５が固着されるヨーク３ａ、３ｂ及び一対のマグネット６、７が固着されるヨーク３ｃ、３ｄが一体的に形成されている。斯かるマグネット４、５、６、７から生成される磁束と前記レンズホルダー２に固装されているフォーカシングコイル及びトラッキングコイルへ駆動制御電流が供給されることによって発生する磁束との協働により生成される
変位力によってレンズホルダー２はフォーカシング方向及びトラッキング方向に変位せしめられるように構成されている。
【００１０】
８は前記レンズホルダー２に固装されているフォーカシングコイル及びトラッキングコイルへ駆動信号を供給するパターンが形成されている印刷配線基板、９は合成樹脂にて成型されているサポート部材であり、前記印刷配線基板８と共に螺子１０によって前記フレーム３に固定されている。
【００１１】
１１、１２、１３及び１４は図３、図４及び図５に示すように前記レンズホルダー２をフォーカス方向への変位動作及びトラッキング方向への変位動作を可能に支持するべく設けられているとともに前記フォーカシングコイル及びトラッキングコイルへ駆動制御信号を供給するべく設けられている金属製の第１、第２、第３及び第４支持ワイヤーであり、各々の一端１１ａ、１２ａ、１３ａ及び１４ａは前記レンズホルダー２に設けられている固定用突起２ａ、２ｂ、２ｃ及び２ｄにて前記フォーカシングコイル及びトラッキングコイルと電気的に接続されるとともに該レンズホルダー２を支持するべく固定されている。
【００１２】
１５及び１６は前記サポート部材９に形成されているとともに前記第１支持ワイヤー１１及び第３支持ワイヤー１３の一端が挿通される装填部であり、各々制振動作を行うダンプ材Ｄが装填されている。第１支持ワイヤー１１及び第３支持ワイヤー１３が挿通される装填部１５及び１６について説明したが、第２支持ワイヤー１２及び第４支持ワイヤー１４が挿通される装填部も同様に前記サポート部材９に形成されているとともにダンプ材Ｄも同様に装填されている。
【００１３】
前記第１支持ワイヤー１１の固定端１１ｂは、前記サポート部材９に形成されている装填部１５を挿通した状態にて前記印刷配線基板８に設けられているパターンに半田Ｓにて固定されている。同様に第３支持ワイヤー１３の固定端１３ｂは、前記サポート部材９に形成されている装填部１６を挿通した状態にて前記印刷配線基板８に設けられているパターンに半田Ｓにて固定されている。また、図４に示すように第４支持ワイヤー１４の固定端１４ｂも前記印刷配線基板８に設けられているパターンに半田Ｓにて固定されている。そして、斯かる印刷配線基板８への第２支持ワイヤー１２の固定端の固定動作も同様に行われている。
【００１４】
前述した構成によれば、レンズホルダー２は印刷配線基板８に形成されているパターンに固定端が半田付けされている４本の支持ワイヤー１１、１２、１３及び１４によってフォーカス方向及びトラッキング方向への変位動作を可能に支持され、前記支持ワイヤー１１、１２、１３及び１４を介してフォーカシングコイル及びトラッキングコイルへ供給される駆動制御電流による変位動作によってフォーカス制御動作及びトラッキング制御動作が行われることになる。
【００１５】
そして、前述した制御動作が行われるとき、周知のようにサポート部材９に形成されている装填部に装填されているダンプ材Ｄによって不要な振動を抑える動作が行われることになる。
【００１６】
斯かる構成のレンズホルダー支持装置が組み込まれた光ピックアップ装置によって光ディスクに記録されている信号の再生動作等を行う場合には、前述したフォーカス制御動作及びトラッキング制御動作を行うためにレンズホルダー２の変位動作が行われることになる。フォーカス制御動作によってレンズホルダー２のフォーカス方向への変位動作は行われるが、レンズホルダーの変位動作はディスク面が正しい位置、即ち光軸がディスク面に対して垂直な関係にあることを想定して行われるので、光ディスクの面が反っている場合には対物レンズ１の光軸がずれることになる。
【００１７】
斯かる光軸のずれを補正する方法としてチルト調整動作を行うためのチルトコイルをレンズホルダーに設け、該チルトコイルに駆動信号を供給することによって傾きの補正動作を行うように構成された光ピックアップ装置が開発されている。
【００１８】
光軸のずれ問題を解決する方法としてレンズホルダーを支持する４本の支持ワイヤーの中の外周側にある２本の支持ワイヤーのコンプライアンスを内周側にある２本の支持ワイヤーより大きくする方法が提案されている。（特許文献１参照。）
また、レンズホルダーは、トラッキング方向及びフォーカス方向への変位動作を行う場合に対物レンズの光軸をディスク面に対して垂直な関係になるように制御する必要があり、斯かる変位動作を最良の状態にて行う方法としてレンズホルダーを支持する４本のワイヤーの中の上下のバネ定数を相違させる技術が提案されている。（特許文献２参照。）
【特許文献１】特開２００３−２２８８６４号公報
【特許文献２】特開平１１−６６５８３号公報
【発明の開示】
【発明が解決しようとする課題】
【００１９】
前述した特許文献１には、レンズホルダーを支持する４本の支持ワイヤーの中の外周側にある２本の支持ワイヤーのコンプライアンスを内周側にある２本の支持ワイヤーより大きくするために内周側と外周側に配置されている支持ワイヤーの径を相違させたり、支持ワイヤーの材質を相違させたり、支持ワイヤー間のピッチを相違させる技術が記載されている。
【００２０】
また、特許文献２には、レンズホルダーを支持する４本の支持ワイヤーの中の上側及び下側に配置されているワイヤーのバネ定数を相違させることによってレンズホルダーの変位動作を正確に行うことが出来る技術が記載されている。
【００２１】
斯かる構成の光ピックアップ装置における支持ワイヤーの固定動作は、図３及び図４にて説明したように印刷配線基板８に半田Ｓにて固定することによって行われている。近年光ディスク装置の薄型化や小型化が行われており、斯かる光ディスク装置に組み込まれる光ピックアップ装置も薄型化や小型化が要求されている。
【００２２】
光ピックアップ装置の薄型化や小型化に伴って対物レンズの小型化が行われているとともにレンズホルダーの薄型化や小型化が行われている。そして、斯かる薄型化や小型化に伴ってレンズホルダーの軽量化も行われている。
【００２３】
対物レンズ等を含むレンズホルダーの軽量化を行う場合において、該レンズホルダーのフォーカス方向及びトラッキング方向への変位動作を正確に行うためには該レンズホルダーを支持する支持ワイヤーの径を細くする必要があるとともに複数の支持ワイヤーによる支持バランスを最良の状態になるように組み立てる必要がある。
【００２４】
前述したように支持ワイヤーの一端は印刷配線基板に半田付けによって固定されるが、斯かる半田付けを行う場合に支持ワイヤーに加わる熱による支持ワイヤー自身の温度上昇及びその後の温度の低下が行われることになる。斯かる支持ワイヤーに対する温度上昇及び温度低下が行われると、各支持ワイヤーの伸縮に伴ってバネ定数が変化し、レンズホルダーを支持する支持ワイヤー間のバランスが崩れることになる。そのため、レンズホルダーのフォーカス方向及びトラッキング方向への変位動作を最良の状態にて行うことが出来ないという問題が発生することになる。
【００２５】
本発明は、斯かる問題を解決したレンズホルダーの支持装置を提供しようとするもので
ある。
【課題を解決するための手段】
【００２６】
本発明は、対物レンズが搭載されているとともに一端がサポート部材に設けられている印刷配線基板用固定部に形成されている連通孔を通して印刷配線基板に設けられているパターンに半田にて固定されている少なくとも４本の支持ワイヤーによって変位可能に支持されたレンズホルダーを備え、前記支持ワイヤーの前記連通孔への挿入部を接着剤にて固定することによって支持ワイヤーによるレンズホルダーの支持バランスを調整するように構成されている。
【００２７】
また、本発明は、接着剤の量によって支持バランスを調整するように構成されている。
【００２８】
そして、本発明は、支持ワイヤーが挿通されるとともに制振動作を行うダンプ材が装填される制振支持部をサポート部材に形成したことを特徴とするものである。
【００２９】
また、本発明は、制振支持部をレンズホルダーと印刷配線基板用固定部との間に配置したことを特徴とするものである。
【発明の効果】
【００３０】
本発明のレンズホルダー支持装置は、対物レンズが搭載されているとともに一端が前記印刷配線基板用固定部に形成されている連通孔を通して前記印刷配線基板に設けられているパターンに半田にて固定されている少なくとも４本の支持ワイヤーによって対物レンズの光軸方向及び光軸方向に直交する方向である光ディスクの径方向への変位を可能に支持されたレンズホルダーを備えた光ピックアップ装置において、前記支持ワイヤーの前記連通孔への挿入部を接着剤にて固定することによって支持ワイヤーによるレンズホルダーの支持バランスを調整するようにしたので、レンズホルダーのフォーカス方向及びトラッキング方向への変位動作を正確に行うことが出来る。
【００３１】
また、本発明のレンズホルダー支持装置は、支持ワイヤーの連通孔への挿入部を接着する接着剤の量によって支持バランスを調整するようにしたので、複数の支持ワイヤーによるレンズホルダーの支持バランスが最良の状態になるように調整することが出来る。
【００３２】
そして、本発明のレンズホルダー支持装置は、支持ワイヤーが挿通されるとともに制振動作を行うダンプ材が装填される制振支持部をサポート部材に形成したので、レンズホルダーの支持動作を最良の状態にて行うことが出来る。
【００３３】
また、本発明のレンズホルダー支持装置は、制振支持部をレンズホルダーと印刷配線基板用固定部との間に配置したので、該制振支持部の位置を調整することによってレンズホルダーの変位動作に対して最も良い状態にてレンズホルダーを支持するように構成することが出来る。
【実施例】
【００３４】
図１は本発明に係るレンズホルダー支持装置の一実施例を示す一部断面平面図、図２は本発明に係るレンズホルダー支持装置の一実施例を示す側面図であり、図３及び図４に示した従来例と同一の部材には同一の符号を付している。
【００３５】
図１において、９Ａ及び９Ｂは前記サポート部材９に一体的に形成されている印刷配線基板用固定部であり、４本の支持ワイヤーである第１支持ワイヤー１１、第２支持ワイヤー１２、第３支持ワイヤー１３及び第４支持ワイヤー１４が挿入される連通孔Ｐが形成されている。
【００３６】
９Ｃ及び９Ｄは、前記サポート部材９に一体的に形成されている制振支持部であり、各支持ワイヤー１１、１２、１３、１４の制振動作を行うダンプ材Ｄが図示したように装填されている。
【００３７】
斯かる構成において、各支持ワイヤー１１、１２、１３、１４は、制振支持部９Ｃ、９Ｄ、印刷配線基板用固定部９Ａ、９Ｂに形成されている連通孔Ｐ及び印刷配線基板８に形成されている孔を通して該印刷配線基板８の外側に図示したように突出せしめられた状態にて半田Ｓにて固定されることになる。
【００３８】
斯かる半田付けを行うことによって各支持ワイヤー１１、１２、１３、１４の一端が印刷配線基板８に固定されるので、レンズホルダー２は該支持ワイヤー１１、１２、１３、１４によってフォーカス方向及びトラッキング方向への変位動作を可能に支持固定されることになる。斯かる固定動作を行った後に螺子１０によってレンズホルダー２のフレーム３に対する取付け角度の調整動作を行うことによってレンズホルダー２のフレーム３への固定動作が終了することになる。
【００３９】
前述したように各支持ワイヤー１１、１２、１３、１４の一端は印刷配線基板８に半田付けされることによって固定されるが、この半田付け作業時に各支持ワイヤー１１、１２、１３、１４の温度が急激に上昇するとともにその後冷めるという動作が半田付け毎に行われることになる。
【００４０】
斯かる半田付け作業によって各支持ワイヤー１１、１２、１３、１４自体に温度変化が生じると各支持ワイヤー１１、１２、１３、１４の伸縮度のバラつきによってバネ定数等の特性が変化するので、各支持ワイヤー１１、１２、１３、１４によるレンズホルダー２の支持バランスが変化することになる。
【００４１】
本発明は、斯かる支持バランスの変化を補正することを特徴とするものであり、支持ワイヤー１１、１２、１３、１４の印刷配線基板用固定部９Ａ、９Ｂに形成されている連通孔Ｐへの挿入部を接着剤にて固定するようにしたものである。図示した実施例では、第３支持ワイヤー１３を接着剤Ｋにて固定している。
【００４２】
接着剤にて固定する支持ワイヤーの選択動作は、レンズホルダー２に固装されているフォーカシングコイル及びトラッキングコイルに駆動電流を供給することによって該レンズホルダー２をフォーカス方向及びトラッキング方向へ変位させ、斯かる変位動作に伴って対物レンズ１の光軸のずれを検出することによって行うことが出来る。即ち、レンズホルダー２の変位動作に伴う光軸のずれによって対物レンズ１の傾き方向、即ちレンズホルダー２の傾き方向を認識することが出来るので、その傾きの方向に基づいて傾きの原因となっている支持ワイヤーを選択することが出来る。
【００４３】
調整するべき支持ワイヤーの選択動作が行われると、その傾きの大きさに対応した量の接着剤を特定された支持ワイヤーの連通孔Ｐへの挿入部に塗布して固定する動作が行われる。斯かる動作に使用される接着剤としては、例えば紫外線硬化型の接着剤を使用することが出来る。
【００４４】
また、支持ワイヤーが挿通されるとともに制振動作を行うダンプ材Ｄが装填される制振支持部９Ｃ、９Ｄをレンズホルダー２と印刷配線基板用固定部９Ａ、９Ｂとの間に配置したので、その配置位置を選定することによって制振特性の優れたレンズホルダー支持装置を提供することが出来る。
【００４５】
尚、本実施例では、４本の支持ワイヤーにて支持されたレンズホルダーに実施した場合について説明したが、６本の支持ワイヤーにて支持されたレンズホルダーに実施することは勿論可能である。また、本実施例では、支持ワイヤーの支持バランスを調整するために１本の支持ワイヤーにする接着固定動作を行うようにしたが、複数の支持ワイヤーに対して接着固定動作を行う方が良い場合もある。
【図面の簡単な説明】
【００４６】
【図１】本発明に係るレンズホルダー支持装置を示す一部断面平面図である。
【図２】本発明に係るレンズホルダー支持装置を示す要部の側面図である。
【図３】従来のレンズホルダー支持装置の一部断面平面図である。
【図４】従来のレンズホルダー支持装置を示す要部の側面図である。
【図５】レンズホルダー支持装置を示す要部の正面図である。
【符号の説明】
【００４７】
１      対物レンズ
２      レンズホルダー
３      フレーム
８      印刷配線基板
９      サポート部材
９Ａ    印刷配線基板用固定部
９Ｂ    印刷配線基板用固定部
９Ｃ    制振支持部
９Ｄ    制振支持部
１１    第１支持ワイヤー
１２    第２支持ワイヤー
１３    第３支持ワイヤー
１４    第４支持ワイヤー
Ｄ      ダンプ材
Ｋ      接着剤
Ｐ      連通孔
Ｓ      半田
【図１】
2010113781.tif 000003
【図２】
2010113781.tif 000004
【図３】
2010113781.tif 000005
【図４】
2010113781.tif 000006
【図５】
2010113781.tif 000007